(57)【要約】対象表面上に物質を分配するための、ミットなどの半包み型塗布器。そのミットは、第一の層と、第一の層に面対面の接触をしている第二の層と、第二の層に面対面の接触をしている第三の層を有する。第一及び第二の層は、空洞を形成するように配置され、製品分配貯蔵器を配置することができる。第一の層と第二の層と貯蔵器は、使用者が使用後に取り外すために、取り外し可能に第三の層へ取り付けられる。
2004526487.tif 000002
【特許請求の範囲】
【請求項１】
物質を対象表面上へ分配するための半包み型の塗布器であって、該塗布器が：
（ａ）第一の内側表面及び第一の外側表面を有する第一の層と；
（ｂ）第二の内側表面及び第二の外側表面を有する第二の層であって、該第二の内側表面が前記第一の層の前記第一の内側表面に面しており、前記第一及び第二の層がそれらの間に内部空洞を形成することを特徴とする第二の層と；
（ｃ）前記第一及び第二の層の間に配置された貯蔵器であって、前記貯蔵器が前記第一の層を通して分配可能であることを特徴とする貯蔵器と；
（ｄ）前記第二の層の前記第二の外側表面に面する第三の層と；
（ｅ）前記第一及び第二の層並びに前記貯蔵器が前記第三の層に取り外し可能に取り付けられていることを特徴とすること
とにより特徴付けられる塗布器。
【請求項２】
前記貯蔵器が前記第一の層へ固定可能に取り付けられていることを特徴とする、請求項１に記載の塗布器。
【請求項３】
前記貯蔵器が前記第二の層へ固定可能に取り付けられていることを特徴とする、請求項１又は２に記載の塗布器。
【請求項４】
前記第三の層に面してこれに取り付けられており、前記第三の層との間に半包み空洞を形成する第四の層により更に特徴付けられる、請求項１〜３のいずれか一項に記載の塗布器。
【請求項５】
前記内部空洞内で前記貯蔵器の内側に配置された実質的に液体不透過性のバリアにより更に特徴付けられる、請求項１〜４のいずれか一項に記載の塗布器。
【請求項６】
前記貯蔵器が破裂可能であることを特徴とする、請求項１〜５のいずれか一項に記載の塗布器。
【請求項７】
前記貯蔵器が可撓性の貯蔵器であることを特徴とする、請求項１〜６のいずれか一項に記載の塗布器。
【請求項８】
前記貯蔵器が少なくとも１つの出口場所を更に有することを特徴とする、請求項１〜７のいずれか一項に記載の塗布器。
【請求項９】
前記第一の層が実質的に非吸収性の材料であることを特徴とする、請求項１〜８のいずれか一項に記載の塗布器。
【請求項１０】
前記第三の層が実質的に吸収性の材料であることを特徴とする、請求項１〜９のいずれか一項に記載の塗布器。
【発明の詳細な説明】
【０００１】
（発明の分野）
本発明は、対象表面に物質を分配するのに有用な半包み型塗布器に関する。本発明は又、対象物体の表面に塗布する物質をも含む塗布器に関する。更に具体的には、本発明は、物質を塗布器材料から放出して対象物体の表面上に分配することができる塗布器に関する。次に、塗布器の１つの層が取り外されて別の層が出て、対象表面の更なる処理を行う。更により具体的には、過剰物質は、その表面から除去されて、任意に塗布器によって吸収される。
【０００２】
（発明の背景）
分配の技術においては、物品が対象表面と接触する時に利用する、活性化する、又は放出することを意図した、有用な物質をコート又は含浸する物品が開発されている。そのような物品の表面上又はその近傍に物質を有することに利点はあるが、物質が保護されていないので予定する使用の前に意図せずに接触するという欠点があることが多い。意図しない接触によって、その物質の汚染、所望の対象表面以外の表面上への物質の損失、及び／又はそのような他の表面の物質による汚れに繋がることがある。そのうえ、対象物表面に物質を手で塗布するそのような物品を使用すると、使用者の手をその物質に頻繁に曝すことになる。最低でも、そのようなシナリオは製品の損失となると共に美的見地から好ましくなく、最悪の場合、有害又は有毒の可能性のある、又はさもなくとも好ましくない物質に使用者を曝すことになる。
【０００３】
物質を対象表面に分配する一般的な方法は、磨き剤又は保護剤などの物質を瓶又は他の密閉容器から対象表面上に分配し、次に、雑巾、スポンジ、タオル、ブラシ、又は他の器具を使用して物質を表面上で散布し、望む場合には、過剰の製品をおそらく他の器具又は基材で吸収することを伴う。そのような手順は、靴、革製品、革コート、ハンドバック、書類鞄、ベルト、プラスチック、ゴム、家具、車（内側及び外側）並びにビニル表面などの表面で日常的である。このような手順は広く受け入れられてはいるが、これによって製品の不十分な使用、及び／又は含まれる物質との接触となることが多い。更に、そのような器具の使用では、物質及び対象表面との接触に使用する１つの型の塗布器しか通常は提供されない。使用する間際に容器から塗布器へ物質を注入すると、同様に、製品の不十分な使用、及び／又は含まれる物質との接触となることが多い。
【０００４】
革又は他の表面を磨く普通の方法は、例えば、洗浄剤又は磨き剤を表面上へ擦り、次に表面をきれいな雑巾又は紙タオルで拭くことである。磨き剤の塗布では普通、塗布し過ぎ又は磨く予定のない領域上への余分な磨き剤の付着のために、磨き剤のいくらかを浪費する。この塗布し過ぎは、ある表面では害されることがあり、また余分な表面に洗浄を施す必要もでてきて浪費するため望ましくないことが多い。雑巾又は紙タオルは、磨き剤を表面上で広げる、並びに過剰分を吸収することの両方に使用される。雑巾又は紙タオルは、通常は高度に吸収性であるように作られているので、洗浄溶液を広げるのは困難である。こういったことを補うために、磨き剤を広げるのに独立した塗布器を使用することができる。そして、別個のきれいな雑巾又は乾いた紙タオルを使用して、対象物をバフ磨きし、過剰な磨き剤を吸収することができる。新聞紙品質の紙又は低吸収性の紙タオルを使用する消費者もいる。この型の紙は、低レベルの吸収性を有して、磨き剤を吸収する代わりにそれを広げるのにより良い仕事ができる。また、この型の紙はより剛性及びより固い紙料成分を有し、これにより対象物をより高い程度の輝きがでるまで磨くことができる。しかし、この方法は、特別の紙タオルを必要とし、所望の最終結果を得るには多大なバフ磨き作業を必要とするので、それほど望ましくない。
【０００５】
従来型の磨き器具の場合、塗布器は、曲線又は尖った縁を有する他の表面、そうでなければ使用者の手の保護を必要とする表面、又は届きにくい領域の洗浄に理想的に適してはいない。表面の洗浄、磨き、乾燥、着色、及び／又はバフ磨きのような相補的な任務を実行するためには、また届きにくい領域又は表面の仕事をする手段を提供する理由からも、複数の要素が必要である。そのような組合せの利益は、今日の洗浄システムに欠けている。
【０００６】
それ故に、塗布及び仕上げ工程の間に使用者がより完全に制御し得る、対象表面に物質を塗布するための塗布器を提供することが望ましい。
【０００７】
使用者が、物質を対象表面に塗布して対象表面を処理し、手の汚れと物質の浪費を減少して輝きを増加できる、そのような塗布器を提供することもまた望ましい。
【０００８】
（発明の概要）
対象表面上に物質を分配するための半包み型塗布器が提供される。その塗布器は、第一の内側表面及び第一の外側表面を有する第一の層と、第二の内側表面及び第二の外側表面を有する第二の層を備える。第二の内側表面は、第一の層の第一の内側表面に面して、内部空洞を形成する。第三の層は、第二の層の第二の外側表面に面する。貯蔵器は、前記第一及び第二の層の間に配置される。貯蔵器は、前記第一の層を通して分配可能であり、並びに第一及び第二の層は、塗布器の意図せぬ裂けをなしに取り外しが可能に、第三の層に取り付けられる。
【０００９】
（発明の詳細な説明）
本明細書は、本発明を特定して指摘し明確に主張する請求項によって結論とするが、本発明は添付図面と合わせてなされる好ましい実施形態の次の説明によってより良く理解されると考えられ、図面においては、同じ参照番号は同一の要素を表し、下二桁が同じ参照番号は対応する要素を表す。
【００１０】
本明細書で使用する用語「手用物品」は、手又は指若しくは親指などの手の部分のカバーを指す。本明細書において「使い捨て」という用語は、復元する又は再利用することを意図しない手用物品について説明するために使用する（すなわち一回又は限定した回数の使用の後に廃棄、好ましくはリサイクル、堆肥化、又はさもなければ環境に適合する方法で処理することを意図する）。本明細書で使用する用語「手袋」は、それぞれの指に別個の区分を有する手のためのカバーを指す。本明細書で使用する用語「ミット」は、指のいくつか又は全てを部分的に又は完全に非分離のまま残す、及び親指用の空間を主包み部の中に有してもよい、又は親指用の別個の包み部の中に親指用の空間を設けてもよい、又は親指包み部を全く含まなくてもよい包み部を有する手用のカバーを指す。この用語は又、使用者の１つ以上の指だけをカバーする装置、例えば以降に説明する「指ミット」の場合にも適用可能である。用語「手袋」及び「ミット」は人の手に関して定義したが、人間身体構造の他の要素をカバーする又は包むために、同様な構造、例えば足カバーなどが利用可能であり又は特定の形状をカバーする他の品目が好ましい。本明細書で使用する用語「吸収」は、１つの物質のもう一つの物質の塊の中への浸透を意味する。吸収されて保持される水などの液体の百分率を決定するためには、ＡＳＴＭ標準試験方法Ｄ２６５４−８９ａ「織物中の湿気の標準試験方法（Standard Test Methods for Moisture in Textiles）」を使用すべきであり、参考として本明細書に組み入れる。本発明の目的のための吸収性材料は、ＡＳＴＭ標準試験方法Ｄ２６５４−８９ａによる約５％より大きい水分率を有する（例えば、約６．５％の水分率を有するセルロースアセテート繊維）。しかし、本発明の目的のための非吸収性繊維は、約５％未満の水分率を有する（例えば、約４％の水分率を有するポリエステル繊維）。本明細書で使用する用語「実質的に非吸収性」は、過半数が非吸収性の繊維又はウエブで構成された材料として定義する。本明細書で使用する用語「実質的に吸収性」は、過半数が吸収性の繊維又はウエブで構成された材料として定義する。本明細書で使用する用語「引張り力」は、移動によって表面にかけられて、その表面を直線的及び／又は曲線的に伸張及び／又は屈曲する力を指す。「ポーチ」又は「サシェイ」という用語は、接合して物質を入れるための囲まれた１つ以上の区画を作り出された、可撓性フィルムで作られた貯蔵器を指す。
【００１１】
「半包み型塗布器」という用語は、手又は指などの人間構造の一部を受け入れるための少なくとも１つの到達可能な空洞を有する塗布装置を指すことを意図し、その塗布装置は器具として使用することができる。手袋、ミット、又は指ミットは、本発明の文脈の中ではそのような半包み型塗布器の一例といえる。
【００１２】
塗布器の構造及び操作
本発明の半包み型塗布器の手用物品の形体での代表的な実施形態は、図１に示す使い捨てミット１０である。図１は、本発明のミット１０の平らに広げた状態の平面図であって、本体部分２０、カフ部分２１、中央部分２２、遠位部分２３、及び貯蔵器３０を示す。一般的な用語では、ミット１０は、カフ部分の開口部を通って到達可能であって、閉止された遠位端部の方向へ内向きに延びる内部空洞を有する。
【００１３】
図２は、ミット１０の構造詳細を更に具体的に示す。ミット１０は、前外側表面３１、前内側表面３２、後外側表面３３、及び後内側表面３４を有する。前内側表面３２及び後内側表面３４は、中空内部２９を画定し、その中へカフ部分２１の開口部を通って手を入れることができる。ミット１０は、前外側表面３１を画定する前パネル２４と、後外側表面３３を画定する後パネル２６を含む。前及び後パネルは、それらの周辺部で連結されて、継ぎ目３６を形成する。継ぎ目３６又はパネルは、真っ直ぐとすることができ、又は先細でもよい。例えば、継ぎ目３６は、カフ領域では内向きで先細にして、塗布器が使用者の手により良く留まるようにすることができる。先細継ぎ目に加えて、又はその代わりに、弾性材料をカフ領域に追加して、塗布器を使用者の手の上に保持することができる。追加的に、他の接着剤又はフックアンドループシステムのような他の機械的締結テープを使用して、ミット１０を使用者の手に固定することができる。
【００１４】
本発明の半包み型塗布器は、多数の種々の用途のために組立てることができる。従来型の磨き器具と異なって、その塗布器は、曲線の若しくは尖った部分のある他の表面、あるいは使用者の手の保護を必要とする表面、又は届きにくい領域の洗浄に理想的に適する。その結果、その製品形体は、洗浄、磨き、乾燥、着色、バフ磨きなどの相補的な作業を実行可能な複数の異なる表面を有することができるだけではなく、届きにくい領域又は表面上の仕事を行う手段を提供する理由からも便利性を提供する。そのような組合さった利益は、今日の洗浄システムに欠けている。そのミットは、個々にしまうことも、又は折って若しくは広げて容器内に積み上げて置くこともできる。したがって、少しの場所しか占めず、小さな領域に貯蔵でき、これにより使用者の便利が改善される。貯蔵の容易性と、靴や馬の鞍やハンドバッグや他の磨き可能な品物のような不均一な表面を磨く能力との組合せにより、限られた空間の区画内で使用するのに理想的であり、このような部分への従来使用された磨き方法ではぎこちなく非効率的で危険の可能性もある。
【００１５】
貯蔵器
貯蔵器３０は、貯蔵器３０から塗布器１０の１つ以上の外側表面例えば外側表面３１などへ、対象表面に送出するために分配する、絞り出す、放出する、及び／又は分散することができる製品を容れる。貯蔵器３０は、分配及び分散を意図する製品に好適ないかなる大きさ、構成、及び組成のものであってもよい。活性物質の処方及び基質の選択により、この広い範囲の用途に適合することができる。その物質は、液体でも、ジェルでも、ローションでも、クリームでも、パウダーでも、又は固体であってもよい。固体物質例えばワックスなどは、貯蔵器３０から分配及び／又は分散可能な流動性製品を提供するために、加熱することができる。
【００１６】
一実施形態では、貯蔵器３０は、密封し完全に包んだ貯蔵器によって、ミット１０の全体的な機能を改善することができ、また使用者が「活性化」した時には炸裂又は他の方法で中に容れた製品を分配し、更に製造や包装や輸送の間の早過ぎる分配には抵抗する。炸裂は、対象表面に対する圧縮によって生じさせることができる。代替実施形態では、貯蔵器は、少なくとも部分的に塗布器１０の外側に置くことができる。例えば、図６の貯蔵器３０のチャンバ４７は、目で見る及び手動作業の改善が必要であれば塗布器から外向きに延びてもよい。貯蔵器が使用する間際まで完全性を維持する能力があるので、液体の品質及び量が使用時まで保存される。このように理解されるように、外部から貯蔵器３０への到達は以降に更に説明するような、装置にひだを付ける、貯蔵器３０を折る、又は貯蔵器の早過ぎる分配に対する他の防御などの対策も容易になり得る。あるいは、貯蔵器３０は、使用者がミット１０内へ挿入することができる別個の物品であってもよい。例えば、貯蔵器３０は、ミット１０の前パネル２４の内側へ挿入することができ、又は前外側表面３１と前内側表面３２の間に配置されて貯蔵器３０を受け入れるようにデザインされた１つ以上のポケットへ挿入することができる。
【００１７】
一実施形態では、貯蔵器は、使用者が望む時に都合の良い低い圧縮力で炸裂又は破裂して、貯蔵器内に容れた製品を放出するように設計することができる。これは、永久的な封止と「破壊性」すなわち破裂可能な封止とによって封止したポーチを有して、達成することができる。ポーチを絞る又は他の方法で扱うと、永久封止よりも低い破壊点を有するので、その破壊性封止は屈したり又は破損したりする。一実施形態では、その破壊性封止は、消費者によりかけられた時０．４〜１．５ｋｇの力で理想的に破裂する。
【００１８】
図６を参照すると、力を特定の場所に局在させる応力集中部を封止形状内に追加することにより、破裂場所を最適化することができる。これら応力集中部は、所望の破裂レベルによって、Ｖ、ノッチ、半円のように、又は様々な他の形状にすることができる。これらの応力集中部は、ポーチを破裂するのに必要とする力、並びに封止が破裂する場所を調節するのを助ける。そのような応力集中部は、これにより、貯蔵器及び内容物にかけられる外部圧力又は機械的な力の焦点を絞ったり、あるいは集中させたりする。例えば、図６に示すようなＶノッチ封止を有するポーチに圧力をかけると、力をまずＶの頂点に局在させ、その領域を最初に破裂させる。そのような配置によって、破裂すなわち分配力及び破裂発生場所のばらつきの可能性を減少する助けができる。更に、封止の他の角度及び形状を使用して特定の用途に対する分配力を調節することもできる。
【００１９】
図１の実施形態では、貯蔵器３０は、ミット１０の中央部分２２に配置されている。貯蔵器３０のこの中央配置により、等方的分配又は塗布が可能になる。この場所では、貯蔵器３０は、使用者の手で握り拳を作ることにより、又は反対の手で力をかけることにより、あるいは手のひらを対象表面に対して押し付けることにより貯蔵器を破裂させるに十分な力をかけて、液体を分配することができる。塗布器内の貯蔵器３０のこの場所は、一度に全部の製品を分配を望む場所へ、又は表面を擦る間に、塗布するのに便利である。洗浄又は擦りの間に力がかかる場所から間隔をおいた又は離れた塗布器の部分に貯蔵器を置くように望むこともできる。この方法においては、洗浄又は擦りの間にミットにかけられる圧力が、貯蔵器３０内の製品の早過ぎる分配又は投与を引き起こすことはない。
【００２０】
例えば図３は、貯蔵器３０がカフ領域２１により近く配置された、ミット１０の代替的実施形態を示す。この配置では、貯蔵器３０は、使用中の力が通常かかるミットの領域（塗布又は圧力領域）には配置されていないので、カフ領域に特に力をかけて活性化する必要がある。そのような実施形態は、最初の力の適用で「一度に全部」分配するよりも製品の離散量を徐々に分配するのが望ましい場合に、特に有利であり得る。これは、分配した物質を貯蔵器から遠くに留めて貯蔵器近くの領域を汚染せずにに保持する際に特に有利である。
【００２１】
製品を容れる貯蔵器を使用すると、塗布器を使用している人が望む時にだけ望む側上で塗布器を湿らせることが可能になる。ある場合には、単一の塗布器を限られたスペースの貯蔵環境に貯蔵することが望まれる。塗布器内の気密封止された貯蔵器は、十分なバリア材料を使用して、個々のユニットとして貯蔵された時でさえもこれら個々の塗布器が複数年の保存寿命を有することができるのが好ましい。対照的に、個々に包まれた先行技術による予め湿らせたウェットタオルは、伝統的に箔ポーチの中に置かれる。この箔ポーチ材料は高価であり、拭き布全体を包んで湿り損失を防ぐために、いっそう多くを必要とする（個々に封入した貯蔵器の場合、箔フィルムは液体又は物質を封入するのに必要なだけである）。予め湿らせた塗布器（拭き布）全体を箔ポーチに入れるこの方法は、拭き布に乾燥表面を持たせることを困難にし、又は相互汚染が起こりがちであるので２つの異なる物質を表面に保有させることも困難にする。
【００２２】
図４は、図１の塗布器などの本発明による塗布器と共に使用するのに好適な、破裂可能な貯蔵器３０に好適な１つの構成を示す。図４の実施形態では、貯蔵器３０は、チャンバ３８、破壊性シール４０，及び少なくとも１つの分配開口３９を含む。図４の実施形態は、２つの同様な大きさ及び形状に作った液体不透過性材料の片を実質的に永久的な封止で周辺を接合し、材料片の少なくとも１つの一部分に分配開口を形成し、開口の１つを通して製品を導入し、及び次にチャンバ３８を開口３９から分離する限定強さの破壊性の封止を形成することにより製作することができる。他の形成技法、例えば単一片の材料をそれ自体の上に二重に折って封止する、又は一片の材料を丸めて封止してスリーブを形成する形成技法なども、使用することができる。
【００２３】
図５は貯蔵器３０の別の実施形態を示し、図４のものと機能的には同様であるが、液体を容れる複数の容器を含む。それぞれのチャンバ３８は、同一の、同様な、又は異なった組成の製品を含むことができ、使用者がどのように圧力又は絞りをかけるかによって順次又は同時に破壊するように、設計することができる。
【００２４】
更に進歩した製品分配機能を貯蔵器及び／又は塗布器に入れて設計することができる。破裂するポーチは又、ミットの異なる部分へ製品の分配及び投与を可能にする、（図６の流路４４に示すような）一体分配ヘッドを有することができる。この分配ヘッドは、製品が別の領域へ流れる流路を形成する方法で封止した、ポーチ材料の延長部であるのが理想的である。分配ヘッドは、製品が出る穴４１を側面に、又は穴４２を面上に有することができ、又は製品の方向を変化させるいくつかの封止を有して製品が出る速度を最小化し、これによりミットから制御されない製品が放出されるのを解消又は減少することができる。他の配置、例えば流体を方向転換する又は制御するバッフル構造の追加や、例えば放出製品を加熱に曝して低粘性を作り出すことなども同様に望ましい。
【００２５】
図１４は分配ヘッド９２の一代替的実施形態を示す。この実施形態では、側面が全長さ９３に亘って細長く切られて大きな面積に連結され、製品がミット上へ放出される前にヘッド内で大きく広がることができる。したがって、この分配ヘッドの実施形態では、製品がゆっくり滴り出ることができる。分配ヘッドは、放出を望む製品に合わせて大きく変更することができる。
【００２６】
例えば図１５は、投与ヘッド９１から突き出したいくつかの「指」９５を示しており、このようにして製品を様々な場所へ直接放出することができる。指９５の数、投与ヘッド９１に対する角度９６、及びそれぞれの指の長さ９５は、別々に変更され、所望の放出パターンを達成することができる。
【００２７】
図１６は、所望の投与効果で送出する助けをする、分配ヘッドの別の例を示す。製品流出方向の変化と送出流路よりも大きい出口場所を設けて製品放出を遅くする図１４及び１５に示すような分配ヘッドのいくつかの変形例と同様に、この特定の実施形態は、製品が余りに早く余りに大きな力を有して出て基材から流れ去るのを防ぐためのバッフルとして作用する、中央のシール８５を利用する。端部８０、は密封されていなく、出口場所として働く。サイドシール８７は、流体がポーチから放出される時に前向きに強制し、このようにして流体を所望の場所へ向ける。この貯蔵器は、製品をミット内の指先近傍に放出するのに有用であって、そのうえ更に送出流路長さ８９を最小化している。あるいは、片側又は両側は密封されず、代わりの又は追加の流体出口場所として働いてもよい。
【００２８】
図６は、更に複雑な貯蔵器設計の一例である。図６の貯蔵器３０は、複数の出口ダクト４１と、複数の分配開口４２と、チャンバ４７を組立て体の遠位端部４３から分離する長い流路４４とを含む。チャンバ４７と流路４４の間の流体流れは、破壊性又は破裂可能なシール４５によって制御され、後者は応力集中ノッチ４６を使用しているのが示される。流路４４は、チャンバがかなり加圧された時以外は潰れて閉じて流体流れを不可能にではなくても制限する「自己封止性」があるような、材料及び構成にすることができる。例えば、流路は、ポ−チの向き合う層に沿うほぼ平行な２つのシールを作ることにより形成することができ、これらのシールの間の空間が貯蔵器から分配開口へ流体が移動する通路になる。その流路は、シールのために自然に平らに（これによって閉じて）横になるが、貯蔵器が加圧されて流路を通る流体で満たされると殆どチューブ状になる。圧力が開放されると、流路は、その平らな状態に自然に戻る傾向があり、更なる流体送出を阻止する封止効果をもたらす。流路の寸法は、貯蔵器から分配される製品の粘性に基づいて最適化することができる。例えば、比較的濃厚なローション又はクリーム製品を分配するために設計された貯蔵器は、比較的低粘性の製品を分配するために設計された貯蔵器よりも広い流路を有するのが好ましい。一実施形態では、流路を加圧するポーチ上への過剰な力を要求せずに、圧力を貯蔵器３０から退かせて製品を流路へ戻らせることにより流路の「再封止」ができるように流路幅が選択される。流路の再封止によって、一回の投与又は段階的な流体分配を行うことができる。出口ダクト及び／又は開口は、１つ又はもう１つを使用するあるいは両方を組み合わせて使用するなど必要に応じて使用することができる。一回分の投与能力（すなわち、複数の離散的分配サイクル）を可能にする他の方法は、塗布器の片側又は両側上に複数の貯蔵器を設けることを包含する。
【００２９】
一回分に投与する手段を設けることにより、追加的な機能を追加することができる。例えば図１３は、一回分に投与するのを調節するための追加的な機構を有するそのような１つの実施形態を示す。ロックアップシールの領域８２は、活性化された時に一回分に投与する流路を通る流体流れを抑制して一回分を越えるのを防ぐ助けをする。このように、使用者は、ポーチを絞る又は圧縮する時に抵抗の増加を感じる。領域８４は、密閉ではなく、一回分に投与する流路の端部を越えて延びるのが好ましい。セルが加圧されると、これらの領域８４が満たされて剛性がより大きい三次元構造をセルに提供し、及び流路が折れ及びクランプされて閉じるのを防ぐ。ロックアップシールの領域８６を、破壊性封止に「目標域」を提供するために追加することができる。したがって、破壊性シール４０の幅８８の限定により破裂力の一貫性が改善され、及び破壊性封止を配置可能なより大きな領域９０を有することによって製造がより容易になる。領域８６は又、破壊性の封止を保護する自然折れ線の形成を助ける。
【００３０】
一回分に投与することは、代替的に一回分に投与する貯蔵器又は分配流路の使用なしに達成することができる。例えば、図４に示すような破裂可能な貯蔵器は流れ制限層と組み合わせることができる。流れ制限層は、前パネル表面２４、層３７、又は層３７と貯蔵器３０の間にある追加層などの、ミット１０内の別個の層とすることができる。例えば、不織布、有孔フィルム、熱成形フィルム、及び他の材料は、目標空げき率したがって目標流体速度を有するように作り出すことができる。流れ制限層内の開口の平均径、位置、及び数を制御して、流体又は製品が前又は後パネルを通って如何に早く分配されるか決定することができる。流体速度は、前又は後パネル材料に所望の空げき率を組み入れることにより制御でき、又は貯蔵器３０とミット１０の塗布表面の間に単数又は複数の別個の層を有することによって達成することができる。流れ制限層の一例は、低密度ポリエチレンで作られた１００メッシュの水流開口したフィルムである。この構造内の開口は、直径が約１００ミクロンであって、例えばクリーム及びローションの流速を制御するのに好適である。穴の大きさ及び数は、分配する流体の粘性及び所望の塗布速度に従って調整することができる。
【００３１】
例えば図６に示すような分配流路４４に連結された破壊性封止を有する貯蔵器３０は、貯蔵器３０そのものの場所から取り外されたミットの領域又は塗布表面に配置された１つ以上の分配開口と流体連通を形成することができる。
【００３２】
例えば図１２に示すように、貯蔵器３０は、貯蔵器３０及び破壊性シール４０が着用者の手の平の下に置かれて分配流路４４が使用者の使用中の指の位置に対応するミットの部分への流体連通を形成するように、ミットのカフ領域近傍に配置することができる。一実施形態では、着用者の手の指が位置するミット１０の閉止側先端から破壊性シール４０までの距離７６は、約１４．６ｃｍ〜約１９ｃｍの範囲とすることができ、このようにして、女性の約９７．５百分位数（１６．８ｃｍ）及び男性の約９７．５百分位数（１８．５ｃｍ）の着用者の手の平によってかけられる圧力から外して破壊性封止を置くことができる。例えば、ドレイフスヘンリ（Dreyfuss,Henry）人間の測定（The Measure of Man）、ニューヨーク；ホィットニーライブラリオブデザイン（Whitney Library of Design）（１９６９）参照、これを参考として本明細書に組み入れる。この場所によって、例えば、貯蔵器を塗布及び使用中の力が通常かかるミットの領域から間隔を置くことができ、流体を選択的に分配するために特にカフ領域に力をかけることによる活性化を必要として、貯蔵器内の製品を順次一回分に投与することが可能になる。この実施形態では、流体は流路を通って分配ヘッドまで流れて、ここで流体がミットの所望の場所上へ、例えば好ましい実施形態では指の近傍などへ放出される。更に、複数の貯蔵器をミット１０の異なる場所に有利に置くことができる。
【００３３】
貯蔵器は、十分な湿気及び／又は酸素バリアを提供するメッキＰＥＴ、アルミニウム箔、ＳｉＯ２、又は何か他の高バリア材料のいずれかを含む積層フィルムを使用して、製品に適度の保存寿命を与えるのが好ましい。例えば一実施形態では、その物質は、約２年〜約３年の範囲の保存寿命を有することができる。少量の製品を含むより小さな貯蔵器は、流体体積に対する表面積が著しくより高くて輸送及び拡散によってより高いレベルの湿気損失となるので、更に高バリアを必要とする。
【００３４】
貯蔵器は、いくつかの異なる技法により、破裂可能に又は「破壊性」に作ることができる。好ましい一技法は、異なる温度、圧力、又は封止時間でポーチ上に異なる封止を作る能力がある、縦型又は横型の成形／充填／封止機でポーチを製造することである。これによりポーチの片側に異なる封止条件を持たせられ、これによって片側をより弱い封止強度とすることができる。この型の「破壊性」封止に好適な封止剤として、デュポン（Dupont）により製造されるサーリン（Surlyn：登録商標）又はポリブチレンとエチレンビニルアセテート若しくは超低密度エチレンコポリマー類のブレンド、ポリオレフィンプラストマー類、及び／又はポリエチレンがある。これらの樹脂又はブレンドのいずれかで作られた封止材層は、封止温度によって封止強度が著しく異なる封止材層となる。そのブレンドは、ベースポリマー材料に「異材」を提供し、これが得られた封止をある封止条件下で選択的に破壊性にする。例えば、封止材層は、２００°Ｆ（９０℃）で２００〜４００グラム／線インチ封止幅（８０〜１６０グラム／ｃｍ）の封止強度、３００°Ｆ（１５０℃）で３０００グラム／線インチ封止幅（約１０００グラム／ｃｍ）近くの封止強度を呈する。封止強度のこの変化によって、ポーチを一部分で「溶接」閉止し、第二の部分ではポーチ封止の作成時に使用する封止温度、封止時間、及び／又は封止圧力を調節するだけで容易に炸裂可能にさせる（例えば、ポーチを全て、又は１つ、２つ、３つ、若しくはより多くの辺の部分に沿って溶接し、１つ、２つ、３つ、若しくはより多くの辺の部分に沿って容易に炸裂可能することができる）。この型の破壊性貯蔵器に好ましいフィルム構造として、サーリン封止材／繋ぎ層／メッキＰＥＴがある。消費者が活性化する破裂可能な貯蔵器を製作する他の技法は、層間剥離する封止、エンボス又はレーザー線刻又は機械的線刻又はフィルム構造を脆弱化する他の既知の方法などによって作り出されたフィルム構造内の脆弱領域、及び絞ると（発泡包装シートのように）破裂する薄い領域を有する熱成形された小セルを包含する。あるいは、貯蔵器３０は、引き剥がし細長片、プルタブ、剥離ライナーなどの他の開口手段を有してもよい。
【００３５】
前パネル
本発明の一実施形態によれば、前パネル２４は、貯蔵器３０内の製品をそれを通して分配できる、繊維不織布、エンボス基材などの多孔質材を含むのが好ましい。前パネル２４に使用する材料は、塗布の間に靴上の物質の移動を助けるためにほぼ疎水性であって、塗布の間の耐久性のために十分な強度を提供し、適切な磨き物質を表面上へ分配するためにエンボスパターン内に十分な空間を有し、塗布した処方剤の過剰分を適切に保持するためにポリマー表面構造内に十分な空間を有することが好ましい。その材料は又、対象表面上で液体の滞留時間を提供するために、水に基づく液体と共に使用する時、好ましくは非吸収性及び／又は好ましくはほぼ疎水性であるべきである。例えば、不織布中の非吸収性の繊維は、水に基づく製品に曝された時に、水を吸収しなく、従って膨張しない。不織布中で使用可能な代表的繊維として、セルロース、ポリエチレン及びポリプロピレンなどのポリオレフィン、並びにポリエステルなどの繊維が挙げられる。受容可能な不織布は、例えば、スパンレース、スパンボンド、メルトブローン、カード加工、エアレイド、水流交絡などの既知の方法によって製作することができる。あるいは、多孔質不織布、有孔フィルム又はウエブを、前パネル２４用の非吸収性多孔質材料として使用することもできる。前パネル２４として使用するのに好適な材料は又、対象表面上で擦り作用を行って、製品に曝された時にウエブ全一性を維持するために、十分な強度及びテクスチャ特性を提供することができる。例えばポリプロピレン、ポリエチレン、又はポリエステルに基づく不織布基材のような熱可塑性材に基づく不織布基材は、これらの基準を有効的に満たすことができ、そのうえ又、水に基づく処方剤を吸収しない。表面洗浄を行うのに十分な耐久性及び強度を有するそのような一材料として、例えば、サウスカロライナ州（Simpsonville,South Carolina）のＢＢＡ不織布（BBA Non-wovens）からのものなどのポリプロピレンスパンボンド不織布がある。セルロース、レーヨン、ポリエステル、及びこれらのいずれかの組合せを含む水流交絡で作られた材料などの他の構造も使用することができる。このような組合せの１つの材料が、コネチカット州（Windsor Locks,CT）のデクスター社（Dexter Corporation）により製造され、ハイドロスパン（Hydraspun：登録商標）の商品名で販売されている。前パネルは、多重の坪量を有する紙で組立てることもできる。好ましくは、その多重坪量紙は、２つ又はそれ以上の見分け得る領域、すなわち比較的高い坪量の領域及び比較的低い坪量の領域とを有する。好ましくは、高い坪量の領域は、基本的に連続の編み目構造を有する。低い坪量の領域は、離散的であってもよい。本発明によるその紙は、望むならば、低い坪量の領域内に配された中間坪量の領域を有してもよい。そのような紙は、トロクハン（Trokhan）らに対して１９９３年９月１４日に発行され本発明の譲受人に譲渡された米国特許第５，２４５，０２５号によって作ることができ、その開示を参考として本明細書に組み入れる。その紙が本質的に連続した高坪量領域と本質的連続した高坪量領域の間中に配置された離散的な低坪量領域の２つの異なる坪量の領域だけを有する場合、そのような紙は、本発明の譲受人に共��譲渡された米国特許群、トロクハン（Trokhan）らに対して１９９６年６月１８日に発行された第５，５２７，４２８号、トロクハン（Trokhan）らに対して１９９６年７月９日に発行された第５，５３４，３２６号、トロクハン（Trokhan）らに対して１９９７年８月５日に発行された第５，６５４，０７６号、及びファン（Phan）らに対して１９９８年１０月１３日に発行された第５，８２０，７３０号によって作ることができ、その開示を参考として本明細書に組み入れる。広範囲の材料が、その関心材料が特定の任務を完了するのに必要な耐久性を提供する限り使用可能であることが、当業者に理解される。
【００３６】
不織布は通常、使い捨ての紙基材のタオルと比較して、製品によって膨張しないので擦った時に最小保持時間で製品を放出する。更に、熱可塑性繊維不織布は、良好な湿潤強度及び十分な擦り能力を有するが、多数の対象表面に擦り傷を付けない。その不織布は又、最小の努力で対象表面を横切って基材を容易に滑らせることができる、及び製品を対象表面上に非常に容易に広げることができる、低い摩擦係数を有する。
【００３７】
分配及び／又は分散操作の間に使用者の手を製品との接触から防護するために、本発明のミットは、バリア層２５を含むことができ、その内側が使用の間に着用者の手に面する前内側表面３２を画定する。バリア層２５は、貯蔵器３０内に入れられた製品に対して不透過性であるのが好ましい。好適なバリア材料として、ポリエチレン、ポリプロピレン、ＥＶＡ、及びポリマーのブレンド又は共押し出しなどのポリマーフィルムが挙げられ、これらは以降で説明する方法によって延伸性にすることができる。エンボス加工された材料は、延伸性であってもなくても、手との接触及び摩擦係数という点から、改善された触感特性及び塗布器に対するより高い制御をもたらす。好ましくは、その材料及び表面は、内側表面３２と着用者の手の間の摩擦係数が外側表面３３と対象表面の間の摩擦係数よりも大きいように作られる。これによって、使用中に無意識的にミット１０が滑る又は回る可能性が減少する。バリア層は又、前内側表面３２上で使用者の手に心地よさや柔軟性や触感の追加をもたらす、他の「柔軟性強化」材料と組み合わせることができる。そのような材料として、繊維性（天然、合成、若しくはこれらの組合せ）及び／又は発泡した材料などを挙げることができるが、これに限定されない。
【００３８】
いくつかの実施形態では、ポーチは、消費者がミットを使用する準備ができた時に、約１ポンド〜約３ポンド（約４Ｎ〜約１２Ｎ）の範囲のような比較的小さな力で破裂させることができるが、ミットが商店への分配又は販売棚上の箱の中で取り扱われている時には、約１０ポンド〜約４０ポンド（約４０Ｎ〜約１６０Ｎ）の範囲のような比較的大きな力に耐えることができる。所望の破裂力は、ポーチが破裂することを防ぎながら、並びにポーチが望まない破裂及び早過ぎる流体分配を起さないように一般的に防護しながら、ポーチを破壊性封止の上又は破壊性封止と貯蔵器の間で折って実現することができる。例えばいくつかの実施形態において、この技法により破裂力が約３０ポンド〜約４０ポンド（約１２０Ｎ〜約１６０Ｎ）の範囲のレベルまで効果的に上昇することが示された。これはミットをコンパクトなユニットに折ることにより達成され、これにより包装及び展示にも助けとなる。図９に示すように、ミットは、破壊性封止を防護し分配ヘッドも又折って封止上に追加レベルの防護をもたらすように、三重に折ることができる。
【００３９】
図７は、図６の貯蔵器の立面図であって、図８は破壊性封止を早過ぎる破裂から防護する折り技法の使用法を示す。図８は、図６及び７のそれと一致する貯蔵器３０を示し、破裂可能なシール４５に隣接する場所で既に折られている。貯蔵器を折ることは、実際には、流体通路を妨げる又は締め上げることであり、これによって貯蔵器は、分配機能のために頼られる破壊性又は破裂可能な封止に普通望まれるよりも増加した内部圧に漏れがなく耐えられるようになる。
【００４０】
図９は、流体を容れている貯蔵器３０を隔離するための、塗布器１０の三重折りを示す。図９に示すように、貯蔵器３０の遠位端部近傍における追加の折りは、流体の出口を貯蔵器の残りの部分から隔離することにより、早過ぎる分配に対する追加の保障をもたらす働きができる。二重折り、三重折り、Ｚ折り、又はいずれかの好適な折りパターンは、複数の塗布器が折って積まれ次に紙箱、スリーブ、又は外包み内に入れられる時などに更にコンパクトな塗布器を提供するのみならず、より高い分配閾値で使用時点の前の早過ぎる活性化に対する抵抗を高めて望ましい機能をもたらすために、利用することができる。
【００４１】
早過ぎる破裂を減少する他の手段は、破壊性封止を「クランプ」して締付け装置が取り外されるまで早過ぎる破裂を防ぐ、二次締付け装置の使用である。この締付け装置は、可撓性クリップ又は紙クリップ様構造などの低価格射出成型部品とすることができる。締付け装置は、破壊性封止又は破裂からの保護が必要ないずれかの領域に隣接してポーチを概ね平らな状態に保持するために、十分な片寄り力を有すべきである。第三の方法は、部分的に満たされているだけであるが、貯蔵器上で折られると完全に満たされた容積を有し、これによりポーチが絞られた時に破裂することができるポーチを有することである。平らな時には、ポーチは、絞り中にポーチの２つの側が相互に接して底に達する前に流体がポーチの他の部分へ流れることができるので、絞られても破裂させないことができる。
【００４２】
後パネル
後パネル２６は、ミット１０を使用者の手又は指の上に保持する助けをすることができる。後パネル２６は更に、使用者の手又は指を包む働きができ、及び前パネル２４によって表面に塗布された製品を除去するような追加機能さえ働くことができる。後パネル２６は、１つ以上の不織布、スクリム、紙、及び／又は類似品などの材料で組立てることができる。
【００４３】
対象表面上に製品が分配され分散された後、例えば、被膜形成、縞発生、及び／又は残留物を最小化しながら、対象表面から過剰の製品、汚染物、及び／又は粒子を吸収し及び除去することが望ましい場合がある。それ故に、ミット１０の後パネル２６は、関連製品に対して実質的に吸収性である材料で作ることができる。例えば、後パネル２６は、関連製品（例えば、水、油などの液体）に曝された時に膨張する、吸収性繊維で組立てることができる。吸収性繊維の例として、セルロースから誘導された人工繊維（例えば、レーヨン、セルロースアセテート、セルローストリアセテート）、及び（例えば、木材からの）天然セルロース繊維などが挙げられる。吸収性材料の他の例として、後パネル２６に組み入れ可能な超吸収性ポリマー（例えば、アクリル酸の架橋コポリマー類）から作られた粒子又は繊維が挙げられる。追加として、又は代替で、後パネル２６は、不織布、有孔フィルム、吸収性又は繊維性吸収材料、超吸収性ポリマー繊維又はパウダー、積層体、ベンソン（Benson）らへの米国特許第５，９１６，６６１号に示されるような選択的に開孔された複合材料、及び／又はこれらの組合せで組立てることができ、その特許を参考として本明細書に組み入れる。吸収性不織布は、スパンレース、スパンボンド、メルトブローン、カード加工、エアレイド、及び水流交絡などの方法で製作することができる。
【００４４】
上述のように、塗布器の片側は、非吸収性繊維が過半数（「実質的に非吸収性」と呼ぶ）で設計することができ、他の側は、吸収性繊維が過半数（「実質的に吸収性」と呼ぶ）又はフィルムで設計することができる。本発明の文脈において、これら用語は相互に関連してである。特定の用途、広げる製品、環境条件、及び求める利益によって、実質的に吸収性の側が吸収する製品の量及び実質的に非吸収性の側が吸収する製品の量は一定ではない。むしろ、実質的に吸収性の側は、特定の製品に対して実質的に非吸収性の側よりも比較的大きい吸収容量を有する。実質的に吸収性の側の吸収容量と実質的に非吸収性の側の吸収容量との比は、１より大きい、好ましくは２より大きい、及び更に好ましくは４より大きい。
【００４５】
いくつかの実施形態では、ミット１０は、追加の塗布及び／又は磨き表面を提供するために、前パネル２４又は後パネル２６いずれかの上で複数の層を有することができる。好ましくは、追加の層は、その層が剥がせるような方法で周辺だけを熱封止することができる。しかし、層は、穿孔、剥離性接着剤などの他の方法で、取り付けて取り外してもよい。追加の層は、塗布器を裂くことなく取り外されるようにする。その層は、カフ領域２１でわずかに片寄らせる、又はタブなどの追加の材料がその層から突き出して、使用者が１回に１つの層を取り外すことを更に容易にすることができる。剥離可能な熱封止は、剥離可能な封止が生じるようなより低い温度又はより短い封止時間で個々の層を熱封止することによって、達成することができる。これらの層は又、汚染層又は当技術分野で既知の他の方法を使用して、剥離可能にすることができる。剥離可能な層がどのように使用できるかの一例として、靴磨き剤を塗布する靴磨きミットの場合がある。磨き剤の塗布の間に、ミット表面２４は、所望の量の磨き剤を塗布した後には、望ましくないレベルまで汚れる。これを克服するために、不織布層又は選択的に開孔された複合材料などの追加の層を前パネル２４の下に使用して、使用者が汚れた層を剥がして新しいきれいな磨き層を送り出し、所望の輝きまで磨きを続けられるようにできる。同様に、吸収性後パネル２６は、プロクター・アンド・ギャンブル社（Procter & Gamble）により作られるバウンティ（Bounty：登録商標）タオルのような吸収性紙タオルの複数の層を有することができる。吸収性の後側層は、使用している外側層以外の他の層に磨き剤が接触することを防ぐ、ポリエチレンのようなバリア材料の薄いコーティングでコートすることもできる。この外側層が使用できなくなった時には、外側層を取り去って新しいきれいな層を露出することができる。
【００４６】
前内側表面３２及び後内側表面３４は、使用者の手と後内側表面の間の滑りを防ぐために、任意に、摩擦増強要素又はコーティング２８を備えてもよい。後内側表面上の摩擦増強要素又はコーティング２８は、例えば、後パネルと徐々に乾燥する対象表面との間の摩擦力が非常に大きくなった時に、ミットが丸まる又は手の上で回転する可能性を減少することができる。コーティングは、窒素及び／又は二酸化炭素などの物理的ブロー剤の添加などによる発泡状態で適用することもできる。好適な材料は、スロットコーティングに加えて、スプレー、グラビア印刷により、又は別個に予形成された要素を固定する接着剤若しくは別の方法により、１つ以上の線、渦巻き、点の配列、及び／又はいずれか他の模様網状組織で、（発泡又は非発泡で）適用することができる。更に、テープ又は機械的締結具も又、着用者の手の間で滑るのを防ぐために使用することができる。
【００４７】
一実施形態では、後内側表面３４などの内側表面は、後外側表面３３などの外側表面と対象表面の間の摩擦係数よりも大きいその表面と着用者の手の間の摩擦係数を有する、摩擦増強要素を有することができる。この実施形態の摩擦増強要素は、後パネル２６で対象表面をバフ磨きした時にミット１０が手の上で滑る又は回転することがないように、着用者の手とミット１０の後内側表面３４の間のより大きい摩擦係数を与えるコーティングであるのが好ましい。
【００４８】
あるいは図１７に示すように、ミット１０は、１つ以上のシールを接合又は結合して、使用者の１つ以上の指用の完全な又は部分ポケットを設けることができる。線シール２０６は、ミット１０が使用者の手の上で回転するのを防ぐことができ、及び更に、使用の間に指を共に押す時にミットを掴む手段を提供することができる。線シール２０６は、１つ以上の指用の部分ポケット２０８を形成することができ、及び例えばミット１０の頂部２０２の外側周辺部２００から空洞２０４に向かって延びることができる。一実施形態では、その線シールは、ミット１０の外側周辺部２００から約２インチ（５ｃｍ）〜約４インチ（１０ｃｍ）の距離を延びることができる。別の実施形態では、ミット１０の後ろ側は、ミット１０の片側から使用者の手の後ろを横切って延びてミットの反対側に固定される単一の紐とすることができる。
【００４９】
使用に際して、ミット１０の着用者は、カフ領域２１に設けられた開口部を通して手を空洞内部へ挿入し、後パネルが使用者の手の甲に接触し前パネルが使用者の手の平に接触する。ミット１０の構造は身体構造に順応する画定した外形を有する手袋よりも一般的であるので、ミットは、手に使用する、及び／又は着用者の足又はいずれか他の身体末端にフィットするように概略の大きさを決めることができる。
【００５０】
使用終了時には、望むならば、ミットは、ミットを手にして握り拳を作って、構造をミット１０のカフ領域２１から握り拳の上に引張ることにより、裏返しにすることができる。このようにして層が入れ替えられて、前パネルの内側表面及び後パネルの内側表面が、今や廃棄物品の外側表面になる。より簡単にいえば、ミットは、その使用後に内側を外に裏返しにされ、次に廃棄される。すなわち、使用者は握り拳を作って、彼又は彼女の他の手でカフ領域上の一点をつまみ、握った手をミットの開口部へ向かってミットの端部全体がカフを通るまで注意深く引張る。
【００５１】
一実施形態では、ミット１０は、天然又は合成のゴムなどの伝統的な弾性材を使用せずに、ミットの少なくとも一部分が着用者の手及び／又は手首の回りで拡大及び／又は収縮する、微分的に延伸性のある手用物品とすることができる。「微分的に延伸性のある」又は「微分的伸長性」という用語によって、本明細書では、変化する手の大きさ及び動作に応じて手袋の一部が他の部分とは独立して拡大又は収縮するという伸張性品質の記述を意味する。好ましくは、この微分的伸長性によって、ある範囲の大きさの手が、そのミット内に順応してフィットすることができる。ミット１０は、本発明の譲受人に譲渡された米国特許群、チャッペル（Chappell）らに対して１９９６年５月２１日に発行された第５，５１８，８０１号、及びアンダーソン（Anderson）らの名で１９９７年７月２２日に発行された第５，６５０，２１４号、並びにデイビス（Davis）らの名で１９９６年４月１７日に出願されて同時係属中の共に譲渡された「適合する手袋（Fitted Glove）」という名称の米国特許出願番号０８／６３５，２２０に記載されるような構造的に弾性様のフィルムウェブを利用することによって微分的伸長性を備えることができ、これらそれぞれの開示を参考として本明細書に組み入れる。あるいは、変化する大きさの手に心地よくフィットする微分的伸張性は、弾性様の特性を作り出す様々な弾性様の材料や複合材料及び／又は材料を更に弾性様にする方法によって達成することができる。好適な弾性様材料の例には、低密度ポリエチレン、線状低密度ポリエチレン、（ブテン−１、オクテン−１、ヘキセン−１などのα−オレフィン類とコポリマー化された）超低密度エチレンコポリマー類、ミシガン州（Midland,MI）のダウケミカル社（Dow Chemical Company）により生産されるアフィニティ（Affinity：登録商標）ポリオレフィンプラストマー類、及びヒューストン（Houston,TX.）のエクソンケミカル（Exxon Chemical）により生産されるエクザクト（Exact：登録商標）ポリオレフィンプラストマー類などの低密度ポリオレフィン類が挙げられる。本明細書で使用するよう語「弾性様」は、伸びをかけられた時にかけられた伸びの方向へ伸びるウエブ材料のようなウエブ材料の挙動を説明する。
また、かけられた伸びが解放されると、そのウエブ材料は、引張り前の状態にかなりの程度戻る。本明細書で使用する用語「積層体」は、単一層の材料又は２つ以上の材料の積層を含むシート状の材料を指す。
【００５２】
更に、微分的に伸張性の手用物品の縁に不織布材料を取り付けて、天然又は合成ゴムなどの伝統的な弾性材を使用せずに、ミットの少なくとも一部が着用者の手及び／又は手首の回りで拡大及び／又は収縮するようにできる。そのような不織布は、対象をバフ磨きする間に塗布した物質で使用者の手が汚れるのを防ぐのに有用である。
【００５３】
対象表面上で物質を広げる又は分散するのを推進するために、特に変形可能な物質上に局所的配向が与えられた局所分配パターンが残るという物質の傾向を減殺するために、対象表面上で湿潤性であるように作り上げられた物質を使用するのが現在好ましい。対象表面上での物質の分散又は分配を助けることができる他の要因には、ずり減粘挙動を示す物質の使用、並びに活性化の後かつ対象表面から変形可能な物質を除去する前に横方向の機械的動作を付与する、複合シート材料の使用者によって与えられる機械的拡大作用が包含される。そのような横方向の機械的動作は又、ずり減粘物質のような物質との追加相互作用を提供することができ、及び泡塗り、泡発生、擦り／研磨作用などの追加利益を提供することができる。
【００５４】
分散が成功するのは、堆積された又は分配された製品の一部が、当初製品が堆積されなかった対象表面の部分を引き続いてコートする時である。シート材料を対象表面から取り去ると、物質の少なくともいくらかが、好ましくはほぼ均一状態で、対象表面上について残る。
【００５５】
本発明のミットは、複数の可能な使用方法を有する。一実施形態では、ミットは、製品貯蔵器を圧力から保護するように折られる。使用者は、ミットを入れ物から取り出して便利に広げ、ミット開口を通して１つの手にフィットさせることができる。貯蔵器ポーチを作動させて、製品を放出することができる。これは、貯蔵器ポーチ上を１つ以上の指か自由な手の平で押す、ポーチを固体表面に押し付けるなどの、いずれかの好適な方法で達成することができる。一回分に投与する量は、使用説明書に印刷か、ミットの前パネル２４側上に直接記載若しくは図形的に表示か、又は貯蔵器３０上に直接記載若しくは図形的に表示か、いずれかによるパラメータと一致する流体量を放出するように貯蔵器ポーチを押すことを使用者に教示して制御することができる。
【００５６】
製造方法
本発明による塗布器を製造するのに好適な製造方法が、図１０及び１１に概略示される。
【００５７】
図１０に示すように、その方法１００は、第一のウエブ１０１を供給ロール１０２から供給することで始まる。第一のウエブ１０１は、図１８の不透過性バリア５０に相当する。接着剤塗布機１０３は、図１１においてより明瞭に示される渦巻きパターンのようなほぼ均一な被覆率を得るのに好適なパターンで、薄い層の接着剤１２１を第一のウエブ１０１の上側表面に塗布する。接着剤は、供給ロール１０５から供給される第二のウエブ１０４と第一のウエブ１０１の間の接合を確立して、複合ウエブを形成するために使用される。第二のウエブ１０４は、図１８に示すバフ基材５６に相当する。
【００５８】
次に、供給ロール１０７から第三のウエブ１０６が、任意に「弾性化」操作を実行してウエブを選択的にひずませ、上述した弾性様の特性を付与する対抗した一対のロール１０８を通って供給され、好適な装置１０９の手段により複合材の第一のウエブ１０１の側面に対して融着される。好適であるが非制限的な融着法として、連続回転熱融着法、超音波融着法、及び高圧圧縮融着法などが挙げられる。好適な融着法は、ミットなどの最終的に塗布器になるものの縁部の周りに所望の外形形状で周囲融着部を形成して、第三のウエブを複合ウエブの残りの部分に接合するために使用することができる。
【００５９】
次に、供給ロール１１１から第四のウエブ１１０が、「弾性化」操作を実行してウエブを選択的にひずませ上述した弾性様の特性を付与することができる対抗した一対のロール１１２を通って供給される。
【００６０】
活性化されたウエブ１１０は、次に、グラビアロール又は類似の装置１１３へ供給されて、塗布器５８の分配区分の縁部の周りに周辺密封を形成するための接着剤を塗布される。塗布器５８の分配区分は、ミットなどの最終的な塗布器から取り外し可能である。
【００６１】
第四のウエブ１１０が第二のウエブ１０４に一端固定されると、接着剤塗布機１１４が、図１１において更に明瞭に示されるように接着剤１２２のビードを第四のウエブ１１０の上側表面に塗布する。接着剤塗布器１１４が貯蔵器１１５を所定の位置に固定する。
【００６２】
少なくとも１つの貯蔵器１１５（図２の貯蔵器３０に相当）が、ウエブ寸法に関して最終的な塗布器の寸法内に置かれるために適切な場所に配置される。「ピックアンドプレイス」装置などのいずれかの好適な装置１１６が使用され、貯蔵器１１５上を走行する複合ウエブの上に置くことができる。
【００６３】
接着剤塗布機１１７が、図１１に示すような渦巻きパターンなどのほぼ均一な被覆率を得るのに好適なパターンで、薄い層の接着剤１２３を第四のウエブ１１０の上側表面に塗布する。接着剤は、供給ロール１１９から供給される第五のウエブ１１８と第四のウエブ１１０の間に接合を確立して、貯蔵器を第四のウエブ１１０に当てて封入するために使用される。第五のウエブ１１８は、図１８に示す分配基材５３に相当する。
【００６４】
次に、ウエブ１１８が、貯蔵器１１５の上方で複合ウエブに当てられて、「真空コンベア」などいずれかの好適な装置１２４を使用して引張り状態で保持される。複合ウエブは、次に、一対の（貯蔵器１１５の早過ぎる破裂を回避するために必要な空洞を有する）圧縮ロールなどの封止／接合装置１２０を通過し、この装置がウエブを伸張又は非伸張状態のバリア層と共に接合する。
【００６５】
最後に、ロータリダイカット装置１２６が、最終的な塗布器をウエブの残りの余剰材料から分離して、最終的な塗布器すなわちミット１２５を形成する。次に最終的な塗布器を、望むならば、折り台又は他の好適な装置（図示せず）を使用して折って、所望のように包装することができる。
【００６６】
上記方法の加工条件は、融着温度、ニップ圧、ライン速度などの好適な操作条件を確立するための当技術分野で既知の手順によって、決定することができる。
【００６７】
（実施例）
実施例１
図１８に示すような、靴と共に使用するなどの磨きミットを本発明により製作することができる。磨きミットは、複数の層のミットからなることができる。バフ基材５６に積層された機械的に活性化された不透過性のポリマーフィルム５０が、ミットの手の平側を形成する。そのようなフィルムは、不織布フィルムに接合してミット５２の中心ポケットを形成することができる。これら２つの材料５０及び５２だけが、使用の間に使用者の手又は指に接触するものである。ミットは、層５３及び処理する表面に面する側５７で摩耗することがある。これは洗浄、コンディショニング、及びバフ磨き側であり、一方、層５２及び側面５８は、ミットを所定の位置に保持して、使用者の手に換気及び通気を提供するために使用される。側面５７と下側側５９の中間の層をここで説明する。
【００６８】
分配システムの外側層は、使用強化のために特定の性質を有する、エンボス加工された不織布基材５３である。分配システム側の不織布基材の特性として、ａ）疎水性、ｂ）擦りの間の耐久性のための十分な強度、ｃ）磨き物質の表面上への適切な分配を可能にするエンボスパターン内の十分な空間、及びｄ）ほこり及び塗布処方剤過剰分の適切な保持を可能にするポリマー表面構造内の十分な空間を有すべきである。
【００６９】
この基材の下に、積層したフィルムがあり、そのセル３０の中に磨き／コンディショニング活性物質が満たされている。積層されたフィルムは、それ自体に対して封止されており、そのようにして活性物質の封入セルを形成する。セル３０は、セル３０が不織布外側基材に向けて放出するような方法で、不織布基材５３の下にある。セル３０の破裂は、セルに十分な圧力がかけられると破壊性壁封止によって作り出される。これにより活性物質が流路４４を通して不織布基材５３に向けて放出される。
【００７０】
放出される活性物質の量は、普通に汚れた一足の革靴を洗浄するのに必要な量（約５．０ｍｌ）として見積られ、使用者が調節可能である。同じ種類の製品、器具、及び／又は技術が適用可能な上述以外の表面の洗浄の場合、それに応じて他の量及び成分を放出することができる。洗浄のための活性物質を配合する時には、ａ）セルを形成する選定したフィルムに対する活性物質の適合性、ｂ）活性物質の損失速度が決まる封入材料を通る活性物質の拡散速度、ｃ）取扱い及び充填操作の多くに影響する活性物質の粘性及び他の物性、に対して特別な注意を向ける必要がある。
【００７１】
セル３０の下には、不透過性のプラスチックフィルム５５があり、不織布トップ層５３に接合されている。これが活性物質分配システムを形成する。プラスチックフィルム５５は、セル３０を不織布又は選択的に開孔された複合材料層５３に当てて保持し、一方、バフ表面５６を磨き剤汚染から保護する。
【００７２】
バフ基材５６は、磨き剤分配システム５８の下に配置されて、プラスチックフィルム５５に接触する。両方の表面は剥離可能な接着剤又は熱機械的接着で接合されており、活性剤分配システム５８をミットから取り外すことができる。バフ基材５６は、熱機械的接着で接合された３層以上の異なる基材からなる、選択的に開孔された複合材料基材である。これらの層は、不織布外側層及び充填基材により形成されるが、異なる材料も使用可能である。バフ基材５６は、ミットの適切なフィットを可能にするために伸張性であり、靴表面から過剰の磨き材が取られるのを防ぐために疎水性であり、バフ磨きの間の耐久性のために十分に強く、柔軟であり、及び処理する表面をバフ磨きする時に艶を得るために十分小さな表面繊維を有している。
【００７３】
プラスチックフィルム５０が、基材５６に対して接着剤的又は熱機械的に接合されて、ミットの手の平側を形成する。フィル５０は、活性化して、使用の間の伸張性及び把握性の増加が可能である。フィルム５０は又、通気性フィルムとして、使用者の手からの熱及び湿気の除去を可能にすることができる。
【００７４】
次に、選択的に開孔された複合材料不織網又は活性化された不織フィルム５２が、プラスチックフィルム５０に接合されて、ミットの中心ポケットを形成する。不織網は、柔軟であって、洗浄及びバフ磨き工程の間の適切な抵抗を確実にするために十分な強度があって、装置を使用している間に熱及び湿気を使用者の手から除去できるための通気性がある、伸張性で適切なフィットを可能にするために選択される。
【００７５】
実施例２
本発明により作られる塗布器の別の例は、洗浄、防護、及び艶出し処方剤を対象表面上に分配するための、可撓性構造として提供される、ゴム、ビニル、及びプラスチックの保護剤のミットである。そのような塗布器は、約１２ｃｃ〜約２５ｃｃの範囲などの所定量の防護剤製品を有する、第一の流体を容れる貯蔵器を含むことができる。この用途のための防護剤製品は、紫外線、高温、オゾン、ほこり、及び汚れの少なくとも１つ又は組合せによって引き起こされる、乾燥、割れ、色あせ、及び／又は変色を防ぐ処方剤として定義される。前パネル２４は、合成織物、合成編物、不織布、有孔フィルム、巨視的に伸張された三次元成形フィルム、吸収性又は繊維性吸収材料、発泡体、又は積層体、及び／又はこれらの組合せからなることができる。不織布は、次の方法、すなわちスパンレース、スパンボンド、メルトブロー、カード加工、エアレイド、及び水流交絡の１つにより製造することができるが、これに限定されない。表面洗浄を行うのに十分な耐久性及び強度を有するそのような１つ材料として、サウスカロライナ州（Simpsonville,South Carolina）のＢＢＡ不織布（BBA Non-woven）からのもののようなポリプロピレンスパンボンド不織布がある。セルロース、レーヨン、及びポリエステルを含む水流交絡で作られた材料などの他の構造も、使用することができる。このような組合せの１つの材料が、コネチカット州（Windsor Locks,CT）のデクスター社（Dexter Corporation）により製造され、ハイドラスパン（Hydraspun：登録商標）の商品名で販売されている。広範囲の材料が、その関心材料の洗浄任務を完了するのに必要な耐久性を提供する限り使用可能であることを、当業者は理解されるであろう。
【００７６】
貯蔵器及び分配流路を又、上述のような貯蔵器３０に設けることができる。そのような保護剤ミットでは、貯蔵器は、ティッシュ又は他の吸収性材料の層３７とティッシュ又は他の吸収性材料の第二の層１７との間に配置する、あるいはティッシュ又は他の吸収性材料の層３７とバリア層２５の間に配置することができ、そこでは、吸収性であって灯心現象を有する層が流体の前パネル２４を通る広がりを助け、一方バリア層が流体の使用者への接触を防ぐ。バリア層は、エンボス加工、リングロール加工、及び漸増的汚し法を包含するがこれに限定されない当技術分野で既知のいずれかの手段でテクスチャを設けることができ、並びに延伸性にすることもできる。バリア層は、追加の心地よさ、柔軟性、及び触感を前内側表面３２上の使用者の手にもたらす、他の「柔軟性増加」材料と組み合わせることができる。そのような材料として、繊維性（天然、合成、又はこれらの組合せ）材料、又は発泡材料などを挙げることができるが、これに限定されない。
【００７７】
そのミットの後側上には、実質的に吸収性の材料を好ましくは使用して、洗浄の後にプラスチック、ビニル、又はゴムの上に残される残留製品及び汚れをミットの前パネル２４で除去して吸収するための、独特の表面を提供することができる。ミットは、後内側表面３４の上にバリアフィルム２７を有することができる。バリア層２５に対して上述のように、この材料も又、当技術分野で既知のいずれかの方法によってテクスチャを設ける、及び／又は延伸性にすることができる。
【００７８】
本ミットは、ビニル及び他のプラスチックの車の内部表面（すなわち、ダッシュボード、ドアパネル、トリム、コンソール、プラスチックシートなど）とビニル及び他のプラスチックの車の外部表面（すなわち、バンパー、トリム、ビニルトップ、成型品など）、ゴム自動車タイヤ、並びに屋内及び屋外家具と旅行鞄などのその他のビニル及びプラスチック表面を磨き及び洗浄するために使用できることを包含するがこれに限定されない。前述のように、本ミットは、曲線若しくは角のある縁を有する他の表面、又は届きにくい領域を洗浄するのに理想的に適し、並びに折って若しくは折らないで、個々に貯蔵する、又は容器内に積み上げて置くことができる。貯蔵が容易なことと、車のダッシュボード、コンソール、及びトリムなどの届きにくい領域を磨く能力の組合せが、これらを使用に理想的としている。
【００７９】
本発明の好ましい実施形態のこれまでの例示及び記述は、説明及び解説の目的のためのみに提示したものである。これらは網羅的にしようとも開示した形態そのままに本発明を限定することも意図しておらず、上記教示を考慮することにより変更及び変形が可能であり、考えられる。いくつかの好ましい及び代替の実施形態、システム、構成、方法、及び潜在的用途を説明したが、多数の変形及び代替案が、本発明の範囲から逸脱することなく利用可能であることを理解すべきである。
【００８０】
従って、本発明の原理及びその実際的用途を最も良く説明して、それにより当業者が本発明を様々な実施形態において考慮する特定の用途に適する様々な変更を入れて最良に利用できるようにすることを目的として、実施形態及び実施例を選択し説明したことを理解されたい。それ故に、このような変更は、ここに付随する請求項によって定義される本発明の範囲内にあると考えるものである。
【図面の簡単な説明】
【００８１】
【図１】本発明による半包み型塗布器のミット形体での好ましい実施形態の平面図である。
【図２】図１のミットの線２−２に沿う断面図である。
【図３】本発明による半包み型塗布器のまたミット形体での別の実施形態の平面図である。
【図４】本発明によって使用するのに好適な破裂可能な貯蔵器の一実施形態の平面図である。
【図５】本発明によって使用するのに好適な破裂可能な貯蔵器の別の実施形態の平面図である。
【図６】本発明によって使用するのに好適な破裂可能な貯蔵器の別の実施形態の平面図である。
【図７】図６の破裂可能な貯蔵器の立面図である。
【図８】破裂可能な封止の近傍で折られた図７の破裂可能な貯蔵器の立面図である。
【図９】破裂可能な貯蔵器の破裂可能な封止の近傍で折られた、図３の塗布器と同様な塗布器の立面図である。
【図１０】本発明による塗布器製造工法の概略図である。
【図１１】図１０の工法の平面図である。
【図１２】使用者の手を想像線で示す、本発明による半包み型塗布器のまたミット形体での別の実施形態の平面図である。
【図１３】本発明によって使用するのに好適な破裂可能な貯蔵器の別の実施形態の平面図である。
【図１４】本発明によって使用するのに好適な破裂可能な貯蔵器の別の実施形態の平面図である。
【図１５】本発明によって使用するのに好適な破裂可能な貯蔵器の別の実施形態の平面図である。
【図１６】本発明によって使用するのに好適な破裂可能な貯蔵器の別の実施形態の平面図である。
【図１７】使用の間にミットが手の上で移動するのを防ぐ助けをするシール線要素を有するミットの平面図である。
【図１８】本発明によって使用するのに好適な磨きミットの分解斜視図である。
【国際公開パンフレット】
2004526487.tif 000003
2004526487.tif 000004
2004526487.tif 000005
2004526487.tif 000006
2004526487.tif 000007
2004526487.tif 000008
2004526487.tif 000009
2004526487.tif 000010
2004526487.tif 000011
2004526487.tif 000012
2004526487.tif 000013
2004526487.tif 000014
2004526487.tif 000015
2004526487.tif 000016
2004526487.tif 000017
2004526487.tif 000018
2004526487.tif 000019
2004526487.tif 000020
2004526487.tif 000021
2004526487.tif 000022
2004526487.tif 000023
2004526487.tif 000024
2004526487.tif 000025
2004526487.tif 000026
2004526487.tif 000027
2004526487.tif 000028
2004526487.tif 000029
2004526487.tif 000030
2004526487.tif 000031
2004526487.tif 000032
2004526487.tif 000033
2004526487.tif 000034
2004526487.tif 000035
2004526487.tif 000036
2004526487.tif 000037
2004526487.tif 000038
2004526487.tif 000039
2004526487.tif 000040
2004526487.tif 000041
2004526487.tif 000042
2004526487.tif 000043
2004526487.tif 000044
【国際公開パンフレット（コレクトバージョン）】
2004526487.tif 000045
2004526487.tif 000046
【国際調査報告】
2004526487.tif 000047
2004526487.tif 000048
2004526487.tif 000049